(57)【要約】【課題】セクタ及びセクタの駆動源をそれぞれユニット化することにより多様なセクタの機能に対応した動作をするカメラ用のセクタ駆動装置を安価に提供する。【解決手段】アパーチャ１ａを有する地板１とセクタ１２とを備えたセクタユニットＵに対し、支持基板３にアクチュエータ４、駆動伝達手段Ｔ及びセクタ位置検出手段５を備えたセクタ駆動ユニットＤを組み込むことにより、アパーチャを開閉可能とするセクタ駆動装置を構成してある。セクタ駆動ユニットＤは汎用性が高いため、各種のセクタ駆動用として組み込み可能である。また、セクタの状態を検出して動作するようにしてあるため、確実な露光やアパーチャの開閉を行うことができるほか、いわゆるガタ寄せ機能も備えている。【選択図】      図１
2004317663.tif 000002
【特許請求の範囲】
【請求項１】
セクタユニットには、アパーチャを有する地板と上記アパーチャを開閉するセクタとが設けてあり、
セクタ駆動ユニットには、支持基板と上記支持基板に取り付けられる電磁アクチュエータと上記支持基板に取り付けられるとともにこの電磁アクチュエータの駆動力を上記セクタに伝達する駆動伝達手段とが設けてあり、
上記セクタユニットと上記セクタ駆動ユニットとは、上記支持基板と上記地板とを、固定手段を介して固定することにより一体化してある
ことを特徴とするカメラ用のセクタ駆動装置。
【請求項２】
セクタユニットには、アパーチャを有する基板と上記アパーチャよりも小さい絞り開口を形成するセクタとが設けてあり、
セクタ駆動ユニットには、支持基板と上記支持基板に取り付けられる電磁アクチュエータと、上記支持基板に取り付けられるとともにこの電磁アクチュエータの駆動力を上記セクタに伝達する駆動伝達手段とが設けてあり、
上記セクタユニットと上記セクタ駆動ユニットとは上記支持基板と上記地板とを固定手段を介して固定することにより一体化してある
ことを特徴とするカメラ用のセクタ駆動装置。
【請求項３】
請求項１又は請求項２のいずれかにおいて、上記セクタユニットには上記セクタを一方向に付勢するセクタ付勢ばねが設けてあることを特徴とするカメラ用のセクタ駆動装置。
【請求項４】
請求項１乃至請求項３のいずれかにおいて、上記セクタ駆動ユニットには、上記駆動伝達手段の位置関係から上記セクタの駆動状態を検出するセクタ位置検出手段が設けてあることを特徴とするカメラ用のセクタ駆動装置。
【請求項５】
請求項４において、上記セクタ位置検出手段は上記アパーチャが全開又は上記絞り用開口が最大開口となった直後に信号が切り替わるように設定してあることを特徴とするカメラ用のセクタ駆動装置。
【発明の詳細な説明】
【０００１】
【発明の属する技術分野】
本発明は、例えばデジタルカメラのＣＣＤやＣ−ＭＯＳ等の撮像素子を保護する遮光装置を駆動するためのカメラ用のセクタ駆動装置に関するものである。
【０００２】
【従来の技術】
通常の銀塩フィルム式カメラ（以下「フィルム式カメラ」という。）の絞り装置や、デジタルカメラの撮像素子を保護するための遮光装置等は、セクタの揺動によりアパーチャを開閉する機構が採用されている。これらの絞り装置や遮光装置は、いずれもセクタを駆動モータで揺動させることにより絞り開口の大きさを調整可能とし、あるいはアパーチャを開閉可能としてある。駆動モータによるセクタの駆動は、駆動力伝達機構を介して行われるようになっているが、駆動モータ、駆動力伝達機構及びセクタ等はともに地板に装着されている。
【０００３】
【発明が解決しようとする課題】
上述の通り、セクタ、駆動モータ及び駆動力伝達機構がともに地板に装着されている場合、これら三者のうちのいずれかに瑕疵が存在していると、全体を廃棄しなければならないため製造歩留まりを低下させる原因となっている。また、組立作業上も細かい部品を次々と組み込んでゆかなければならないため、行程が煩雑なものとなっている。
【０００４】
【課題を解決するための手段】
上記の課題を解決するために、本発明におけるカメラ用のセクタ駆動装置は、セクタユニットとセクタ駆動ユニットとを組み合わせた構成を採用することにより、組立作業や部品交換の容易化してあるところに特徴がある。具体的には、上記のセクタユニットは、アパーチャを有する地板とこのアパーチャを開閉するセクタとを備えたものからなる。また、上記のセクタ駆動ユニットは、支持基板と、この支持基板に取り付けられる電磁アクチュエータと、この支持基板に取り付けられるとともに、この電磁アクチュエータの駆動力を上記のセクタに伝達する駆動伝達手段とを備えたものからなる。セクタユニットとセクタ駆動ユニットとは、支持基板と地板とを固定手段を介して固定することにより一体化してあるところに特徴がある。上記の通り、本発明に係るセクタ駆動装置は、セクタとセクタの駆動機構とをそれぞれユニット化して個別に製作したものを組み込むようにしてあるため、製造容易かつ互換性に優れたものとなっている。このセクタ駆動装置は、デジタルカメラの撮像素子を保護するための遮光装置のセクタ駆動装置として採用すると、露出動作中には遮光幕を確実に開放し、それ以外の時間帯はアパーチャを閉鎖して撮像素子を確実に保護する効果を有する。
【０００５】
また、本発明におけるカメラ用のセクタ駆動装置は、アパーチャを有する地板と、上記のアパーチャよりも小さい絞り開口を形成してなるセクタを設けたものをセクタユニットとするカメラにも適用可能である。このカメラのセクタ駆動ユニットの構成は、上記のセクタ駆動装置と同様であるが、駆動伝達手段の出力端部となるレバーにより、アパーチャよりも小さい絞り開口を有するセクタを駆動して揺動させることにより所望の絞り開口を選択可能とするものである。
【０００６】
上記のカメラ用のセクタ駆動装置は、細部的特徴として次のような構成を採用してある。第１に、セクタユニットには、セクタを一方向に付勢するセクタ付勢ばねを設けることにより、製造上の隙間や歯車のバックラッッシュ等により生じるゆがみを除去するいわゆるガタ寄せを行うようにしてある。これによりデジタルカメラの遮光装置の場合には確実な遮光効果が得られ、カメラの絞り装置の場合には所望の絞り値を実現可能としてある。第２に、上記のセクタ駆動ユニットに、駆動伝達手段の位置関係からセクタの駆動状態を検出するセクタ位置検出手段を設けることにより、アパーチャの開口や絞りの設定が確実に行われていることを確認した後に、露出を行うようにして正確な露出を保障している。上記第２の特徴に関連して、デジタルカメラの場合に、上記のセクタ位置検出手段は、アパーチャが全開又は絞り用開口が最大開口となった直後に信号が切り替わるように設定するとよい。これはセクタ位置検出手段が検出目的を検出したときに、カメラ本体のＣＰＵにその旨の信号を出力することにより確実な露光動作や絞り値を保障するものとなる。
【０００７】
【発明の実施の形態】
次に、本発明の実施の形態例について図面を参照して説明する。ここでは主にデジタルカメラの遮光装置のセクタを駆動するセクタ駆動装置を取り上げて説明する。図１、図２は、本発明の一形態例に係るデジタルカメラの遮光装置の要部を拡大して示したものである。なお、これらの図面では内部構成を分かりやすく表示するために、プリント基板Ｐと後述の支持基板３の天板部とを透過して基板の輪郭だけを示してある。図１、図２に示してあるように、この遮光装置は、構造上、重畳及び展開するセクタ群によってアパーチャ（画枠）を開閉可能としてある点において、フォーカルプレーンシャッタに似たものとなっている。しかし、フォーカルプレーンシャッタのように先幕と後幕とを備えたものではなく、先後いずれかの幕に相当する１つの遮光幕を備えただけのシンプルなものとなっている。この形態例では、セクタアーム１３，１４と遮光幕であるセクタ１２とを地板１に取り付けたものをセクタユニットと呼ぶこととする。そしてこのセクタユニットＵを開閉駆動する駆動機構を、セクタ駆動ユニットと呼ぶこととし、このセクタ駆動ユニットＤを地板１に対して着脱容易としてあるところに本発明の特徴の１つがある。
【０００８】
地板１は、実質的に長方形に形成された板状体からなり、その中心付近の位置にアパーチャ１ａが設けてある。このアパーチャ１ａの左方上面（図面表面）には、セクタ１２を駆動する上記のセクタ駆動ユニットＤが装着してある。セクタ駆動ユニットＤは、地板１の上面（図面表側）に突設された位置決めピン１ｂ，１ｂにより位置決めされ、固定手段であるビス１０，１０によって固定されている（図３参照）。また、地板１のセクタ駆動ユニットＤが設けてある部分の背面側には、後述のセクタアーム１３、１４とセクタ１２等が設けてあり、セクタ駆動ユニットＤによりセクタ１２を駆動しアパーチャ１ａの開閉動作が可能となっている。
【０００９】
セクタ駆動ユニットＤは、後述の中間部材６を介して予め支持基板３に装着された電磁アクチュエータ（以下「アクチュエータ」という。）４、後述のセクタ位置検出手段であるシンクロスイッチ５及びの中間部材６（図３、図４参照）の下面側に後に装着される駆動伝達手段Ｔを備えている。セクタ駆動ユニットＤの図面上部には、アクチュエータ４やシンクロスイッチ５に電力を供給するためのプリント基板Ｐが設けられている。また、セクタユニットＵは、上述の通り、地板１と、この地板の他方の面（背面）に設けてあるセクタ１２と、このセクタを駆動するセクタアーム１３，１４とを備えている。このセクタ駆動ユニットＤは、地板１の一方の面（表面）に固定手段であるビス１０を介して位置決めされた状態に取り付けられている。
【００１０】
図３は、セクタ駆動ユニットＤ及びセクタユニットＵの各機構を分割して拡大断面図で示したものである。セクタ駆動ユニットＤの駆動機構のうち、アクチュエータ４及びシンクロスイッチ５を含む駆動部は、支持基板３の一方の面（図３下面）に脱落不能に装着してある中間部材６を介して固定されている。支持基板３の他方の面（図３上面）には、プリント基板Ｐが固定されている。支持基板３は、地板部３ａが長方形の板状体からなり（図１参照）、その両端部には、上記の中間部材６を保持するための掛止部３ｂ，３ｂが設けてある。中間部材６は、アクチュエータ４やシンクロスイッチ５を保持可能としてあるとともに、地板１への取付部６ｆ、６ｇを備えている。こうしてユニット化されたセクタ駆動ユニットＤは、地板１に対して着脱容易な独立体としてあるため、各種のセクタユニットに取付可能となっている。
【００１１】
上述のアクチュエータ４は、公知のパルスモータの一種であり、ステータ４ａ、駆動コイル４ｂ及び永久磁石製のロータ４ｃからなる。このアクチュエータ４は、ロータ４ｃの磁極とステータ４ａに設けられた磁極の位置とにより、ロータ４ｃが無通電保持される静的安定位置を有している。このため、通電によりロータ４ｃの磁極がステータの磁極間を移動して静的安定位置に静止してロータ４ｃを保持可能となっている。静的安定位置は、ロータ４ｃの磁極数と、このロータを取り囲むステータ４ａの凹部の内周部に設けてある磁極の数とにより定まるが、ここではロータの磁極が２極でステータの磁極数を４極の組み合わせとすることにより、２ヶ所に静的安定位置を設けてある。アクチュエータ４は、中間部材６によって支持基板３の地板部３ａに押さえ付けた状態に固定されている。そして、ロータ４ｃと一体の回転軸４ｄがこの中間部材６を貫通して下面側に突出するように設けてある。
【００１２】
アクチュエータ４のロータ４ｃと一体の回転軸４ｄの先端部（図３下端部）には、駆動伝達手段Ｔを構成する駆動レバー８が固着してある。また、中間部材６の下面に突設された支軸部６ｂには、駆動レバー８に連動可能なセクタ駆動レバー９が揺動自在に支持されている。駆動伝達手段Ｔを構成するセクタ駆動レバー９は、歯部９ａが駆動レバー８の歯部８ａと噛合することによりこの駆動レバー８と連動可能となっている。駆動レバー８は、図１、図２に示すように、開き度を小さくした扇形に形成した板状体からなり、扇の要に相当する部分がアクチュエータ４の回転軸４ｄにこれと一体回転可能に固着してある。駆動レバー８の先端に形成してある円弧部は、歯車の歯形を刻設してなる歯部８ａとなっている。セクタ駆動レバー９は、回転中心から所定距離の範囲を円弧状に形成し、この円弧状になっている部分の周囲の一部に駆動レバーの歯部８ａと噛合可能な歯部９ａが設けてある。歯部９ａが設けられていない円弧部の部分の一部は、外方へ延伸してなるアーム部９ｂが形成してある。上記の円周部とアーム部９ｂとの境界付近には、図３の表示で短いアームの先端部で上向きに突出する後述の接離ピン９ｃが設けてある。また、アーム部９ｂの先端部下面には、上述のセクタユニットＵを駆動するための駆動ピン９ｄが設けてある。
【００１３】
こうして駆動伝達手段Ｔは、駆動レバー８がアクチュエータ４のロータ４ｃの回転により揺動し、セクタ駆動レバー９は、歯車変速機構を介して駆動レバー８に連動するが、その揺動角は、各揺動中心から歯部のピッチ円までの距離の比に応じた角度となっている。セクタ駆動レバー９の揺動角は、セクタアーム１３の揺動角と同一であり、結局、セクタ１２の往復移動量はセクタ駆動レバー９の揺動角とセクタアーム１３の長さにより定まるようになっている。図面では、各レバーの揺動中心から歯部のピッチ円までの距離が互いに異なるように描かれているため、揺動角も異なるようになっているが、アクチュエータ４のトルクを考慮すると各揺動角はほぼ同一とすることが望ましい。
【００１４】
次に、上述のシンクロスイッチ５について説明する。このセクタ駆動装置に用いるシンクロスイッチ５は、セクタ駆動レバー９の駆動状態を検出して露出の際にセクタ１２が全開になっていることを確認するためのセクタ位置検出用センサであり、検出ばね１７と検出ピン１８と上記の接離ピン９ｃとの三者からなる。検出ばね１７は、両端を反対方向に延伸してなる直線部を有するねじりコイルばねを採用してある。このばねの中央に位置するコイル部は、支持基板３に突設した軸部３ｄに挿着してあり、一方の直線部をセクタ駆動レバー９の接離ピン９ｃに当接可能としてある。また、他方の直線部は、中間部材６の上面に突設してある突部６ｃに当接可能とすることにより揺動範囲を規制可能としてある。この直線部は、先端部で直角に折り曲げられて上向きに延伸しており、その先端部をプリント基板Ｐと導通させて情報出力部１７ａとすることにより、カメラ本体のＣＰＵへ検出したデータを出力可能としてある。
【００１５】
また、検出ピン１８は導電体の丸棒材からなり、その両端はプリント基板Ｐと中間部材６との間で支持されており、プリント基板Ｐに導通している。検出ピン１８はセクタ１２がアパーチャ１ａを全開状態にしている時には、検出ばね１７の直線部の中間位置が当接可能であり、閉鎖状態になっているときにはこの直線部が離反可能とする位置に設けてある。検出ばね１７と検出ピン１８との接離状態を検出した検出データは、プリント基板Ｐに接続された端子部１７ａ，１８ａから出力可能となっている。なお、この接離動作はセクタ駆動レバー９と一体の接離ピン９ｃの揺動に対して検出ばね１７がこれに従動することによって行われる。
【００１６】
図３に示すように、地板１と駆動ユニットＤとの一体化結合は、地板１の上面の複数か所に設けてある位置決めピン１ｂ（図３では１個だけ図示）と、中間部材６の取付部６ｆ、６ｇに設けてある位置決め孔６ａとを合わせて、両者を互いに接近する方向へ押し付け、さらに固定手段であるビス１０，１０で締め付けることにより行われる。図４は、地板１にセクタ駆動ユニットＤを装着した状態を示している。この装着により、中間部材６に突設された軸部６ｂに揺動自在に支持されているセクタ駆動レバー９は、地板１に突設してある突部１ｇにより安定的に支持されるとともに、駆動ピン９ｂが地板の円弧溝部１ｃを貫通して背面側へ突出している。
【００１７】
地板１の他方の面（背面）には、アパーチャ１ａを開閉するセクタ１２及びセクタアーム１３、１４が取り付けてある。地板１、セクタ１２及び各セクタアーム１３、１４でセクタユニットＵを構成している。図１、２に示すように、複数のセクタ１２（１枚だけ図示）と、これを往復移動させる１対のセクタアーム１３，１４とからなる平行リンク機構となっている。この平行リンク機構を構成するセクタアームのうち、下方に位置する第１セクタアーム１３は、セクタ駆動レバー９の回転中心と同心の軸部１ｄ（図３参照）に揺動自在に支持されている。第１セクタアーム１３の中間位置に設けられた孔部には、セクタ駆動レバー９の駆動ピン９ｄが嵌入することにより、このアームをセクタ駆動レバー９に従動可能としてある。また、第１セクタアーム１３の先端部は、連結ピン１３ａを介してセクタ１２に揺動自在に連結されている。これに対し、第１セクタアーム１３の上方に位置する第２セクタアーム１４は、第１セクタアームの支持点と少し離れた位置の地板１の上面に揺動自在に支持されている。セクタアーム１３，１４の各先端部は、セクタ１２に揺動自在に連結されていることにより、平行リンク機構を成立させてセクタ１２を平行移動可能としてある。
【００１８】
図４に示すように、地板１の背面側には、さらに第１セクタアーム１３に対してセクタ１２を開く方向へ付勢するように作用するセクタ付勢ばね１６が設けてある。このセクタ付勢ばね１６は、ねじりコイルばねからなり、中央のコイル部は、第１セクタアーム１３を支持している軸部１ｄに挿通し、このコイル部から延びている一方の直線部を、地板１の背面に突設してある係止突起１ｅに当接可能としてある。また、セクタ付勢ばね１６の他方の直線部は、第１セクタアーム１３の側部に当接してこのアームをセクタ１２が開く方向へ付勢可能としてある。このセクタ付勢ばね１６の機能は、第１にセクタ１２が初期位置にあるときにはレリーズオンの際にセクタアームを付勢してセクタ１２の開放動作を容易にする働きをすること。第２の機能は、アパーチャ１ａが開放状態になった時に、駆動伝達手段ＴとセクタユニットＵとの間に生じる隙間（ガタ）を一方に押し付けるいわゆるガタ寄せの働きをするにある。なお、このセクタ付勢ばね１６及びセクタ１２は、羽根押さえ板１５により保護されている。
【００１９】
次に、図５に示すシーケンスチャートを参照して、この実施の形態例の動作を説明する。図５における横軸の要素として示されているもののうち、開閉レバー駆動コイルとは、既述の構成におけるアクチュエータ４の駆動コイル４ｂを指しており、開閉レバーとは駆動伝達手段Ｔのレバー、特にセクタ駆動レバー９を指している。また、撮像素子の露出とは、結像した被写体の画像のデジタル信号化の動作を示している。図５の横軸は時間を示しているが、時間の長さの比率については実際の比率通りに表示されているものではなく、あくまでも説明上の便宜から表示しているものである。
【００２０】
まず、初期状態においては、アクチュエータの駆動コイル４ｂへの通電がオフとなっているため、セクタ駆動レバー９もセクタユニットＵも初期位置（静的安定位置）に静止している。このときには、シンクロスイッチ５は検出ばね１７と検出ピン１８とが当接（ショート）している（図１参照）。次にカメラ本体のレリーズスイッチ（図示略）をオンにすると、駆動コイルに１パルスだけプラス電流が流される。これによって、セクタユニットＵがアパーチャを閉じる方向へ移動してセクタユニットＵに生じた位置の調整やいわゆるガタ寄せを行う。次にＣＰＵからアクチュエータの駆動コイル４ｂへガタ寄せ時とは反対方向へマイナス電流を流すと、ロータ４ｃが逆方向へ回転し、駆動伝達手段Ｔを介してセクタ１２を移動させてアパーチャ１ａを開く。なお、この時には、セクタ１２は、セクタ付勢ばね１６により始動が容易となっている。セクタユニットＵが開放動作を終了してアパーチャ１ａが完全に開いたら、さらに同方向に少し高いマイナス電流を流していわゆるガタ寄せ及びバウンド防止を行う。このバウンド防止動作が終了すると、駆動コイル４ｂへの通電がオフされるため、セクタ１２等がガタ寄せ状態から解除される。この通電オフ期間に撮像素子による露出が行われる。
【００２１】
セクタユニットＵが完全に開いた状態、すなわちセクタ１２が重畳している状態の下では、セクタ駆動レバーの接離ピン９ｃがシンクロスイッチ５の検出ばね１７の一方の直線部に当接して反時計方向へ押圧している。このため、検出ばね１７は、検出ピン１８から離反（オープン）し（図２参照）、この状態変化により生じる信号データが出力される。上記の露出は、この信号データ変化の出力を受けたＣＰＵが、アパーチャ１ａが開いていることを確認し、撮像素子に露出開始の信号を出すことにより開始される。露出動作中は、アクチュエータ４の駆動コイル４ｂへの通電がオフになっているため、露出中におけるノイズの発生を防止するとともに、電力消費の軽減が可能となっている。ロータ４ｃは、駆動コイル４ｂへの通電オフ中も静的安定位置に無通電保持されているため、セクタ１２が勝手に動いてしまうようなことは生じない。
【００２２】
こうして既に開始されている露出動作が終了すると、それに合わせてアクチュエータの駆動コイル４ｂに再びセクタ１２が重畳する方向へロータを回転させるマイナス電流が流されてガタ寄せが行われる。続いて駆動コイル４ｂへセクタ１２を展開する方向へ回転させるプラス電流を流すことによりセクタ駆動レバー９が回動し、同時にセクタ１２が閉じる。この時、セクタ駆動レバー９は、図１において、反時計方向へ回動すると、シンクロスイッチ５の検出ばね１７が原位置へ復帰することにより、検出ばねの直線部は検出ピン１８に当接（ショート）し、これにより出力信号の方向を変化させる。この信号変化の出力を受けたＣＰＵは、アパーチャ１ａの閉鎖開始を確認する。こうしてセクタユニットＵは、原位置へ復帰、すなわち閉鎖状態になるが、駆動コイル４ｂへの通電は、駆動伝達手段Ｔ及びセクタユニットＵの復帰動作が完了した後にも、さらに所定時間だけ駆動コイル４ｂへ同方向の通電を続けてガタ寄せをした後、通電をオフにしてこれらを初期位置に復帰させる。駆動コイル４ｂへの通電停止とともに、露出により撮像素子に蓄積された撮像データはＣＰＵへ出力され、これにより撮影の１動作が完了する。撮像素子から読み込まれたデータは、カメラ本体の記憶素子へ出力されることにより保存される。
【００２３】
次に、上述した本発明に係るセクタ駆動装置を、カメラの絞り装置に適用した例について説明する。この絞り装置は、本出願人の既出願に係るものであり（特許文献１）、セクタユニットＵ２は、図６に示すように、地板６１に設けられた円形のアパーチャ６１ａの左方に、本発明に係るセクタ駆動装置のセクタ駆動レバー５９（図１の符号９に相当する）が設けてある。このセクタ駆動レバー５９は駆動レバー８（図１参照）と連動することにより約４５°の角度範囲で揺動し、これによりセクタ６３を揺動可能としてある。このセクタユニットＵ２にセクタ駆動ユニットＤを設けてセクタ６３を駆動する。
【００２４】
セクタ６３は、アパーチャ６１ａよりも小さい絞り開口６３ａを有しており、地板６１上に立設された支軸部６１ｂを介して地板上に揺動自在に支持されている。この絞り開口６３ａは、セクタ６３が時計方向に回動して所定位置に停止した状態の下においては、アパーチャ６１ａの中央部に位置するようになっている。セクタ６３の駆動源は、もちろん本発明に係るセクタ駆動ユニットＤのアクチュエータ４（図１参照）に相当するが、駆動伝達手段Ｔのセクタ駆動レバー９を変形して駆動レバー５９としてある。セクタ６３は、図示の状態から駆動レバー５９を反時計方向へ回動させることにより付勢手段６５の付勢力に抗して時計方向へ回動し、アパーチャ６１ａの中央部に絞り開口６３ａが位置することにより所望の絞り値が選択可能となる。付勢手段６５の付勢力はアクチュエータ４の無通電保持力より弱いものになっている。アクチュエータ４への通電がオフになり、アクチュエータ４が無通電保持されると、絞り状態を維持される。絞り状態を解除するときは、アクチュエータ４に逆の通電をしてセクタ駆動レバー５９を時計方向へ回動させる。セクタ６３は、付勢手段６５によって反時計方向へ付勢されているため、セクタ６３は原位置へ復帰し、ストッパピン６１ｃによって停止させられる。
【００２５】
【特許文献１】
特開２００１−２８１７２２号公報  図１〜図５
【００２６】
このほか、本発明に係るセクタ駆動ユニットは、銀塩フィルム式カメラの絞り装置のセクタユニットＵ３の駆動装置としても応用可能である。このセクタユニットＵ３にセクタ駆動ユニットＤを設けてセクタ７５を駆動する。図７は、本出願人の既出願に係る絞り装置の構成を示すものである（特許文献２参照）。図７において、アパーチャ７１ａを有する地板７１に、駆動リング７３が基板面に沿って回動可能に設けてある。駆動リング７３には、８個の斜め状の長溝７３ａ，…が設けてあり、これらの各長溝７３ａには、地板７１の周囲部に等間隔かつ揺動自在に設けてあるセクタ７５の従動ピン７５ａが摺動可能に係合している。アパーチャ７１ａは、駆動リング７３の回転により各セクタ７５が揺動して開閉するようになっている。駆動リング７３は、外周部に刻設してある歯部７３ｂに、本発明に係るセクタ駆動ユニットＤの駆動伝達手段Ｔ（図１参照）のセクタ駆動レバー９を変形したものを連結すればよい。すなわちセクタ駆動レバー９のレバー部９ｂの代わりに連結される部分に歯部を設け、この歯部を駆動リングの歯部７３ｂと噛み合わせるようにすればよい。ただし、この場合におけるアクチュエータは、１パルスの通電だけで駆動リング７３を必要量だけ回動させるメータ式は向かないので、複数パルスの通電により駆動するステップ方式のものを採用する必要がある。また、このセクタ駆動装置を備えたシャッタをデジタルカメラ用の遮光装置として採用すれば、上述のフォーカルプレーンシャッタ類似の遮光装置と同様の諸効果が得られる。
【００２７】
【特許文献２】
特開２０００−８９２９４号公報    図１
【００２８】
以上の説明において、駆動コイルへの通電は定電圧回路により駆動されることを前提として説明して来たが、これはもちろん定電流回路を採用することも可能である。また、駆動伝達手段の変速機構として歯車機構を採用してあるが、この他にもリンク機構やスライダ・クランク機構等を採用可能である。また、このセクタ駆動装置は、上記の遮光装置や絞り装置以外の絞り装置や遮光装置に適用可能である。また、シンクロスイッチ５はセクタの全開を検知していたが、これに限らずセクタの全開を検知するようにシンクロスイッチの位置を変えても良い。
【００２９】
【発明の効果】
本発明に係るセクタ駆動装置は、駆動部のユニット化によりセクタユニットへの着脱を容易化してあるため、各種のセクタユニットに共通使用が可能となる。また、アパーチャサイズの異なるカメラにも共通使用が可能であるので、設備費その他の間接費の節減が可能となる。また、セクタ駆動ユニットとセクタユニットとを個別に検査可能であり、いずれかのユニットに不良品が出たような場合にも該当ユニットだけを破棄するだけでよく、遮光装置全体を破棄する必要がなくなるので、製造歩留まりを向上させることができる。
【００３０】
次に、細部的構成として、セクタユニットに位置方向に付勢するセクタ付勢ばねを設けることにより、ガタ寄せをするとともに作動方向を向上させてある。また、これによりセクタユニットの開放開始時における開放動作を速くしてカメラの撮影動作のスピード化によりタイムラグを減少可能となるため、シャッタチャンスを逸することを少なくすることができる。さらに、セクタ位置検出手段（シンクロスイッチ）を設置すれば、セクタが全開になったことを確認した後に、露出動作を行なうことができるので確実な露出が可能となる。なお、このセクタ位置検出手段は、アパーチャの全開直後又は絞り開口が最大になった直後に出力信号を切り換えるようにすれば、セクタの位置を確実に把握できるため、確実な露出を行うことが可能となる。
【図面の簡単な説明】
【図１】アパーチャが全閉となっている状態を示す平面図である。
【図２】アパーチャが全開となっている状態を示す平面図である。
【図３】要部の拡大分解断面図である。
【図４】要部の拡大断面図である。
【図５】一形態例の動作を示すシーケンスチャートである。
【図６】他の形態例としての絞り装置のセクタユニットを示す正面図である。
【図７】さらに他の形態例の絞り装置のセクタユニットを示す正面図である。
【符号の説明】
Ｕ，Ｕ２，Ｕ３        セクタユニット
Ｄ                    セクタ駆動ユニット
Ｔ                    駆動伝達手段
１，６１，７１        地板
１ａ，６１ａ，７１ａ  アパーチャ
３                    支持基板
４                    アクチュエータ
５                    セクタ位置検出手段（シンクロスイッチ）
６                    固定部材
８                    駆動レバー
９，５９              セクタ駆動レバー
９ｃ                  接離ピン
１０                  固定手段（ビス）
１２，６３，７５      セクタ
１３，１４            セクタアーム
１５                  羽根押さえ板
１６                  セクタ付勢ばね
１７                  検出ばね
１８                  検出ピン
【図１】
2004317663.tif 000003
【図２】
2004317663.tif 000004
【図３】
2004317663.tif 000005
【図４】
2004317663.tif 000006
【図５】
2004317663.tif 000007
【図６】
2004317663.tif 000008
【図７】
2004317663.tif 000009